(57)【要約】  【課題】  乗り物酔いしにくいコンテンツを利用者に見せることができる画像表示装置を提供すること。  【解決手段】  画像表示装置１は、コンテンツを格納するコンテンツ格納手段２と、コンテンツ格納手段２よりコンテンツを取り出し、これに含まれるフレームの画像から動きベクトル等を算出してコンテンツの内容を解析するコンテンツ解析手段３とを有する。また、コンテンツ解析手段３の解析結果を基に乗り物酔いになりにくいコンテンツを選択するコンテンツ選択手段４と、コンテンツ選択手段４により選択された乗り物酔いになりにくいコンテンツを再生するコンテンツ再生手段５とが設けられる。【選択図】  図１
2006040056.tif 000002
【特許請求の範囲】
【請求項１】
コンテンツを格納するコンテンツ格納手段と、
前記コンテンツ格納手段より前記コンテンツを取り出し、前記コンテンツの内容を解析するコンテンツ解析手段と、
前記コンテンツ解析手段の解析結果を基に体調に関連した特定条件のコンテンツを選択するコンテンツ選択手段と、
前記コンテンツ選択手段により選択されたコンテンツを再生するコンテンツ再生手段とを備えたことを特徴とする画像表示装置。
【請求項２】
前記コンテンツ解析手段は、前記コンテンツに含まれる画像の動きベクトル、明度、シャープネス、コントラスト、彩度のうちの少なくとも一つを算出して、前記コンテンツの内容を解析することを特徴とする請求項１の画像表示装置。
【請求項３】
前記コンテンツ解析手段で解析したコンテンツの解析結果を前記解析したコンテンツと対応付けて格納するコンテンツ格納手段を備え、
前記コンテンツ解析手段は、前記解析したコンテンツを再度解析する場合は、前記コンテンツ格納手段から前記解析結果を読み出すことを特徴とする請求項１又は請求項２に記載の画像表示装置。
【請求項４】
体調悪化状態であるか否かを申告する体調悪化状態申告手段を備え、
前記コンテンツ選択手段は、前記体調悪化状態申告手段により体調悪化状態であると申告された時、前記コンテンツ解析手段の解析結果を基に体調に関連した特定条件のコンテンツを選択することを特徴とする請求項１乃至請求項３のいずれかに記載の画像表示装置。
【請求項５】
体調悪化状態を推定する体調悪化状態推定手段を備え、
前記コンテンツ選択手段は、前記コンテンツ解析手段の解析結果と、前記体調悪化状態推定手段により推定された体調悪化状態とを基に体調に関連した特定条件のコンテンツを選択することを特徴とする請求項１乃至請求項３のいずれかに記載の画像表示装置。
【請求項６】
体調悪化状態の履歴を格納する体調悪化履歴格納手段と、環境条件を検出する環境条件検出手段とを備え、
前記コンテンツ選択手段は、前記コンテンツ解析手段の解析結果と、前記体調悪化状態推定手段により推定された体調悪化状態と、前記体調悪化履歴格納手段より読み出した体調悪化の履歴と、前記環境条件検出手段により検出された環境条件とを基に体調に関連した特定条件のコンテンツを選択することを特徴とする請求項５に記載の画像表示装置。
【請求項７】
移動体が将来進行する前方状況を検出する移動体前方状況検出手段を備え、
前記コンテンツ選択手段は、前記コンテンツ解析手段の解析結果と、前記移動体前方状況検出手段の検出結果とを基に体調に関連した特定条件のコンテンツを選択することを特徴とする請求項１に記載の画像表示装置。
【請求項８】
前記移動体前方状況検出手段は、移動体前方の画像を撮像する撮像部を有し、前記撮像部で撮像した画像に基づき前記移動体前方の状況を解析することを特徴とする請求項７に記載の画像表示装置。
【請求項９】
前記移動体前方状況検出手段は、ナビゲーションシステムで検出した移動体の現在位置と前記ナビゲーションシステムの地図情報とを基に移動体前方の状況を検出することを特徴とする請求項７に記載の画像表示装置。
【請求項１０】
前記コンテンツ再生手段は、移動体に搭載されていることを特徴とする請求項１乃至請求項９のいずれかに記載の画像表示装置。
【発明の詳細な説明】
【技術分野】
【０００１】
本発明は、例えば、車両、航空機、あるいは船舶に乗っている時などでも、利用者が画像を見ることができるようにした画像表示装置に関する。
【背景技術】
【０００２】
表示画像を見ている場合に、その利用者が体調悪化状態になることがある。そのような場合に利用者の体調悪化を軽減する方法としては、バーチャルリアリティ（以下、ＶＲという）システムの画像表示装置において、利用者によるＶＲ酔いの主観申告入力、又は生理指標計測による利用者のＶＲ酔い判定に応じ、ＶＲシステムによって提示される仮想空間の映像の刺激強度を低下させる酔い対応過程を備えた方法が提案されている（例えば特許文献１参照）。
【特許文献１】特開２０００−３３９４９０号公報（第２頁、第１図）
【発明の開示】
【発明が解決しようとする課題】
【０００３】
しかしながら、従来の画像表示装置におけるＶＲ酔いの低減方法にあっては、乗車中などに再生されるコンテンツが利用者が酔い等といった体調悪化原因を有するものであるか否かに関係なく再生され、利用者からの申告や計測判定があった場合に、映像の刺激強度を低下させるだけの対策であったため、コンテンツ内容が体調悪化させるおそれの少ないものであっても明度やシャープネスなどを機械的に低下させたまま再生することとなって質の悪い不満足な画像を見つづけねばならなくなったり、逆に体調悪化させるおそれが非常に強いものに対しては画像の刺激強度低下が十分でなかったりするという問題があった。
【０００４】
本発明は、上記従来の問題を解決するためになされたもので、画像の質低下をできるだけ抑えながら利用者の体調悪化病状を軽減できるようにして画像を表示することが可能な画像表示装置を提供することを目的とする。
【課題を解決するための手段】
【０００５】
本発明の画像表示装置は、コンテンツを格納するコンテンツ格納手段と、コンテンツ格納手段よりコンテンツを取り出し、コンテンツの内容を解析するコンテンツ解析手段と、コンテンツ解析手段の解析結果を基に体調に関連した特定条件のコンテンツを選択するコンテンツ選択手段と、コンテンツ選択手段により選択されたコンテンツを再生するコンテンツ再生手段とを備えた構成を有している。
【０００６】
この構成により、乗車中などに画像質の低下をできるだけ抑えながら利用者の体調悪化病状を軽減できるようにして体調悪化状態になりにくい画像を表示することが可能であるという効果を有する画像表示装置を提供することができる。
【０００７】
本発明の画像表示装置は、コンテンツ解析手段が、コンテンツに含まれる画像の動きベクトル、明度、シャープネス、コントラスト、彩度のうちの少なくとも一つを算出して、コンテンツの内容を解析する構成を有している。
【０００８】
この構成により、動きベクトル、明度、シャープネス、コントラスト、および彩度のうちの少なくとも一つを用いてコンテンツの内容の解析を行うことが可能となり、画面中の動きの少ない画像、明度の差や変化の少ない画像、シャープネスの差や変化の少ない画像、コントラストの差や変化の少ない画像、彩度の差や変化の少ない画像のうちの少なくとも一つからなるコンテンツを利用者に提供できることとなって、利用者の体調悪化を軽減したり予防したりすることができるようになる。
【０００９】
本発明の画像表示装置は、コンテンツ解析手段で解析したコンテンツの解析結果を解析したコンテンツと対応付けて格納するコンテンツ格納手段を備え、コンテンツ解析手段が、解析したコンテンツを再度解析する場合は、コンテンツ格納手段から解析結果を読み出す構成を有する。
【００１０】
この構成により、一度解析したコンテンツをその後に解析結果を取得したい場合でも、再度同一コンテンツを解析する必要がなく、その分、解析時間を短縮でき、また画像表示装置のＣＰＵ等の演算負荷も低下させることができる。
【００１１】
本発明の画像表示装置は、体調悪化状態であるか否かを申告する体調悪化状態申告手段を備え、コンテンツ選択手段が、体調悪化状態申告手段により体調悪化状態であると申告された時、コンテンツ解析手段の解析結果を基に体調に関連した特定条件のコンテンツを選択する構成を有している。
【００１２】
この構成により、体調悪化状態申告手段により利用者が体調悪化状態であるとの申告があった時、コンテンツの内容の解析結果を基に体調悪化状態になりにくいコンテンツを選択することが可能となるので、利用者が体調悪化状態にある時には体調の悪化を軽減することが可能なコンテンツの画像のみを見ることで体調の悪化を軽減し、体調悪化状態にない時にはすべてのコンテンツを見るようにすることができる。
【００１３】
本発明の画像表示装置は、体調悪化状態を推定する体調悪化状態推定手段を備え、コンテンツ選択手段が、コンテンツ解析手段の解析結果と体調悪化状態推定手段により推定された体調悪化状態を基に体調に関連した特定条件のコンテンツを選択する構成を有している。
【００１４】
この構成により、例えば、利用者の表情や視点あるいは、脈拍、呼吸、体温、発汗、心拍などの生体情報を基に体調悪化状態を推定し、利用者の体調悪化状態が推定された場合には自覚症状がなくとも体調悪化の状態をより正確に、また早めに予測することができ、利用者の特性、個性に合わせて体調悪化状態になりにくいコンテンツを選択することが可能となるので、利用者が体調悪化状態の申告を自ら行わなくても、利用者が体調悪化状態にある時には体調悪化状態を軽減することが可能なコンテンツの画像だけを見ることで体調が悪化するのを軽減し、体調悪化状態にない時にはすべてのコンテンツを見ることができる。
【００１５】
本発明の画像表示装置は、体調悪化状態の履歴を格納する体調悪化履歴格納手段と、環境条件を検出する環境条件検出手段とを備え、コンテンツ選択手段が、コンテンツ解析手段の解析結果と体調悪化推定手段により推定された体調悪化状態と体調悪化履歴格納手段より読み出した体調悪化の履歴と前記環境条件検出手段により検出された環境条件とを基に体調に関連した特定条件のコンテンツを選択する構成を有している。
【００１６】
この構成により、体調悪化推定手段により推定された利用者の体調悪化状態と、体調悪化履歴格納手段より読み出した利用者の体調悪化の履歴と、環境条件検出手段により検出された環境条件とを基に体調悪化状態になりにくいコンテンツを選択することが可能になるので、利用者の酔い特性に合わせてより的確に体調悪化状態を判断し、搭乗中に画像を見ることにより利用者の体調が悪化するのを軽減することができる。
【００１７】
本発明の画像表示装置は、移動体が将来進行する前方状況を検出する移動体前方状況検出手段を備え、コンテンツ選択手段が、コンテンツ解析手段の解析結果と移動体前方状況検出手段の検出結果とを基に体調に関連した特定条件のコンテンツを選択する構成を有している。
【００１８】
この構成により、例えば、車両が現在走行している所から、カーブの少ない高速道路を進むのか、あるいは急なカーブが多く舗装の悪い山道を進むのかなどの車両進行方向の道路状態を把握することにより、今後、利用者が体調悪化状態になりやすいかどうか、また、体調悪化の状態はどうかなどを予測し、体調悪化発生以前であっても体調悪化発生を予想して体調悪化状態になりにくいコンテンツを選択することが可能になるので、乗車中に画像を見ることによる利用者の体調悪化を軽減することができる。
【００１９】
本発明の画像表示装置は、移動体前方状況検出手段が、移動体前方の画像を撮像する撮像部を有し、撮像部で撮像した画像に基づき移動体前方の状況を解析する構成を有している。
【００２０】
この構成により、移動体前方の状況を撮像部で撮像した画像を解析することで得ることができるようになる。
【００２１】
本発明の画像表示装置は、ナビゲーションシステムで検出した移動体の現在位置とナビゲーションシステムの地図情報とを基に移動体前方の状況を検出する構成を有している。
【００２２】
この構成により、特別な装置を追加することなく、移動体前方の状況を得ることができるようになる。
【００２３】
本発明の画像表示装置は、コンテンツ再生手段が、移動体に搭載された構成を有している。
【００２４】
この構成により、車両等に乗車中でもコンテンツをみることが可能となり、その場合、乗り物酔いを軽減又は予防することが可能な画像からなるコンテンツを提供することができる。
【発明の効果】
【００２５】
本発明は、この構成により、乗車中などに画像質の低下をできるだけ抑えながら利用者の体調悪化病状を軽減できるようにして画像を表示することが可能であるという効果を有する画像表示装置を提供することができる。
【発明を実施するための最良の形態】
【００２６】
以下、本発明の実施の形態に係る画像表示装置について、図面を用いて説明する。
【００２７】
本発明の第１の実施の形態に係る画像表示装置を図１に示す。
【００２８】
まず、構成を説明する。図１において、画像表示装置１は、図示しない車両、鉄道、航空機、船舶などの移動体に搭載されており、コンテンツを格納するコンテンツ格納手段２と、コンテンツ格納手段２からコンテンツを取り出し、コンテンツの内容を解析するコンテンツ解析手段３と、コンテンツ解析手段３による解析結果を基にコンテンツ格納手段２に格納したコンテンツのうちから乗り物酔いになりにくいコンテンツを選択するコンテンツ選択手段４と、コンテンツ選択手段４により選択されたコンテンツを再生するコンテンツ再生手段５とで構成される。
【００２９】
コンテンツ格納手段２は、ハードディスク、不揮発性メモリ、ＤＶＤ（ＤｅｇｉｔａｌＶｅｒｓａｔｉｌｅ  Ｄｉｓｃ）やＣＤ（Ｃｏｍｐａｃｔ  Ｄｉｓｃ）やブルーレイディスクなどの光ディスク、ＤＶ（Ｄｉｇｉｔａｌ  Ｖｉｄｅｏ）やＶＨＳ（Ｖｉｄｅｏ  Ｈｏｍｅ  Ｓｙｓｔｅｍ）やＳ−ＶＨＳ（Ｓ−Ｖｉｄｅｏ  Ｈｏｍｅ  Ｓｙｓｔｅｍ）やＤ−ＶＨＳ（Ｄａｔａ  Ｖｉｄｅｏ  Ｈｏｍｅ  Ｓｙｓｔｅｍ）などのテープメディアのうちいずれか１つ以上により構成される。コンテンツ格納手段２は、移動体内に設置されるように構成、又は有線か無線通信経由でコンテンツを取得可能な移動体外に設置されたコンテンツサーバやホームサーバで構成してもよい。
【００３０】
コンテンツ解析手段３及びコンテンツ選択手段４は、図示しない半導体メモリに格納されるソフトウエアとして実装され、ＣＰＵ（Ｃｅｎｔｒａｌ  Ｐｒｏｃｅｓｓｉｎｇ  Ｕｎｉｔ）にて、その処理が実行されるもので、後で詳しく説明する。なお、このようにソフトウエア処理を利用するものではなく、ＰＧＡ（Ｐｉｎ  Ｇｒｉｄ  Ａｒｒａｙ）などのハードウエア実装による処理やＤＳＰ（Ｄｅｓｉｔａｌ  Ｓｉｇｎａｌ  Ｐｒｏｃｅｓｓｏｒ）による処理を利用する構成をとってもよい。また、これらのコンテンツ解析手段３及びコンテンツ選択手段４は、移動体に設置するが、移動体外に設置されたコンテンツサーバやホームサーバで構成してもよい。
【００３１】
コンテンツ再生手段５は、液晶やＣＲＴ（Ｃａｔｈｏｄ  Ｒａｙ  Ｔｕｂｅ）や有機ＥＬ、やプラズマなどのディスプレイ、スクリーンに映像を映すプロジェクタ、ヘッドマウントディスプレイ、ヘッドアップディスプレイなどのうち、いずれか１つ以上により構成される。コンテンツ再生手段５は、移動体に搭載する。
【００３２】
図２及び図３は、利用者の体調悪化の病状を軽減できるようなコンテンツを選択して表示する処理を、画像表示装置１のＣＰＵにて実行するためのフローチャートである。なお、図２に示すメインフローチャートは、利用者が体調悪化状態にある時に体調の悪化を軽減可能な画像を選択して表示するための主な処理を行うものであり、図３のフローチャートは、メインフローチャートのうち、コンテンツの内容を解析して利用者の体調悪化を軽減可能なコンテンツであるか否かを判別する処理を行うためのフローチャートである。
【００３３】
まず、はじめに利用者が画像表示装置１の電源を入れたものとする。
【００３４】
電源が入れられると、図２に示すように、コンテンツ格納手段２に格納したコンテンツの内容を解析するために、コンテンツ選択手段４がコンテンツ解析手段３にコンテンツ内容の解析を依頼する（ステップＳ１）。
【００３５】
解析依頼を受けたコンテンツ解析手段３は、コンテンツ格納手段２から順にコンテンツを読み出してコンテンツ内容の解析処理を行う（ステップＳ２）。この解析処理は、図３に示すフローチャートにしたがって実行される。
【００３６】
すなわち、図３に示すように、コンテンツ解析手段３は、コンテンツ格納手段２に格納されているコンテンツを順に読み出していくが、まずその読み出したコンテンツの現在フレームとして、コンテンツに含まれている最初のフレームの画像を取得し（ステップＳ１１)、続いて次のフレームの画像を取得する（ステップＳ１２）。
【００３７】
これら取得したフレームの各画像に基づき、動きベクトルを算出する（ステップＳ１３）。すなわち、両フレームの画像をそれぞれ一定の大きさの複数ブロックに分割し、各画像間で各ブロックの差が最小となるブロック同士の相対的な空間位置の差を求める。これが動きベクトルである。
【００３８】
動きベクトルを算出したら、取得したフレームがそのコンテンツの最終フレームであるか否かを判断し（ステップＳ１４）、この判断結果が最終フレームでなければまた次のフレームを取得して現在のフレームとし（ステップＳ１１）、動きベクトルをさらに求め続けていき、判断結果が最終フレームであれば、その解析しているコンテンツの中で、それまで算出してきた動きベクトルが有する値のうち最大値を求める（ステップＳ１５）。以上で、１つのコンテンツの内容解析処理を終える。
【００３９】
続いて、解析を終えたコンテンツがコンテンツ格納手段２に格納されているコンテンツのうち最後のコンテンツであるか否かを判断する（ステップＳ１６）。判断結果が最後のコンテンツでなければ、コンテンツ格納手段２に格納されているもののまだ解析処理を行っていないコンテンツを読み出し、上記同様の内容解析処理を実行していき、判断結果が最後のコンテンツであれば内容解析処理を終了する。このようにして、コンテンツ解析手段３は、コンテンツ格納手段２に格納されているすべてのコンテンツについて内容解析処理を行う。このようにしてコンテンツ解析手段３は、各コンテンツで得た動きベクトルの最大値をコンテンツ選択手段４に送る。
【００４０】
なお、コンテンツ内容の解析を行うにあたっては、動きベクトルは、上記とは異なる方法で求めてもよく、また動きベクトルの最大値を求める代わりに、例えば、動きベクトルの平均値や動きベクトルの変化度合いを求めるようにしてもよい。このようにして求めた動きベクトルの特徴量は、１つの特徴量だけでなく、例えば、最大値と変化度合いといった複数の特徴量をコンテンツ選択手段４に送るようにしてもよい。また、コンテンツ選択手段４に動きベクトルの複数の特徴量が送られてきた場合、コンテンツ選択手段４では、例えば各特徴量に重みをつけ、それらを平均した値を動きベクトルの最大値の代わりに用いるようにすることもできる。
【００４１】
ここで、図２のステップＳ２、及び図３のステップＳ１１からステップＳ１６の各ステップは、半導体メモリにコンテンツ解析手段３を構成するソフトウェアとして実装されるものである。
【００４２】
図２に戻り、コンテンツ選択手段４は、コンテンツ解析手段３から各コンテンツの動きベクトルの最大値に関する情報を受け取ったら、体調に関連した特定条件、例えばこれらのうちから動きベクトルの最大値が一定値以下となるコンテンツを選択し（ステップＳ３）、これらのコンテンツのリストをコンテンツ再生手段５に送る。
【００４３】
コンテンツ再生手段５は、コンテンツ選択手段４から送られてきたコンテンツのリストを画面上に表示する（ステップＳ４）。
【００４４】
利用者は、コンテンツ再生手段５の画面上に表示されたリストの中から所望のコンテンツを選択する（ステップＳ５）。コンテンツ選択手段４は、利用者から選択指示されたコンテンツをコンテンツ再生手段５に送る。
【００４５】
コンテンツ再生手段５は、コンテンツ選択手段４から送られたコンテンツを再生する（ステップＳ６）。
【００４６】
なお、コンテンツ内容の解析の結果は、コンテンツごとに対応付けて、別途設けたコンテンツ格納手段２に格納しておき、コンテンツ選択手段４から再度同じコンテンツにつき内容の解析の依頼を受けたときは、コンテンツ解析手段３はコンテンツ格納手段２に格納されている解析結果を読み出すようにしてもよい。このようにすると、同一コンテンツを再度解析する必要がなく、コンテンツ内容の解析処理の時間を短縮することができる。
【００４７】
また、コンテンツ解析は、コンテンツの選択処理時に行うのではなく、コンテンツ格納手段２に新しいコンテンツを格納するときにコンテンツ内容の解析を行い、その解析結果をコンテンツと対応付けてコンテンツ格納手段２に格納しておき、コンテンツ選択処理時に、コンテンツ格納手段２に格納された解析結果を読み出すようにしてもよい。
【００４８】
このように、本発明の第１の実施の形態に係る画面表示装置１では、コンテンツ解析手段３がコンテンツ内容を解析し、コンテンツ選択手段４が、その解析結果を基に乗り物酔いしにくいコンテンツを選択することにより、乗車中に画像を見ることによる利用者の乗り物酔いを低減することができる。またその場合でも、再生される画像の質は、低下しないか、ほとんど低下しないようにすることが可能となる。
【００４９】
次に、本発明の第２の実施の形態に係る画像表示装置につき、図を用いて説明する。本実施の形態に係る画像表示装置は、図１のものと同じ構成を有し、そのＣＰＵで図２のメインフローチャートと同様のフローチャートにしたがった処理を行うものの、コンテンツの内容の解析処理を行うフローチャートが図３に示した第１の実施の形態に係る画像表示装置でのフローチャートと異なる。したがって、ここでは、その構成やメインフローチャートについての説明は省略し、異なる部分のみ説明する。
【００５０】
図４は、第２の実施の形態に係る画像表示装置で実行されるコンテンツ内容の解析処理の流れを示すフローチャートである。
【００５１】
画像表示装置に電源が入れられると、コンテンツ選択手段４がコンテンツ解析手段３にコンテンツ内容の解析を依頼する。この依頼により、コンテンツ解析手段３は、コンテンツ格納手段２に格納されているコンテンツを順に読み出し、解析しようとするコンテンツの現在フレームとしてそのコンテンツの最初のフレームの画像を取得し（ステップＳ２１）、以下の処理を行う。
【００５２】
コンテンツ解析手段３は、取得したフレームの画像の各ピクセルの値からそれぞれ明度を求め、それらの平均値をとることで、そのフレームの明度を算出する（ステップＳ２２）。
【００５３】
次いで、明度を求めたフレームがそのコンテンツの最終フレームであるか否かを判断する（ステップＳ２３）。判断結果が最終フレームでなければ次のフレームを取得してその明度を算出し、判断結果が最終フレームであれば各フレームで得た明度に基づきそのコンテンツにおける明度の最大値と最小値とを算出する（ステップＳ２４）。
【００５４】
コンテンツにおける明度の最大値と最小値との算出を終えたら、そのコンテンツがコンテンツ格納手段２に格納されているコンテンツのうち最終コンテンツであるか否かを判断する（ステップＳ２５）。判断結果が最終コンテンツでなければ、コンテンツ格納手段２からまだ内容の解析を終えていないコンテンツを新たに読み出してコンテンツ内容の解析をさらに行い、判断結果が最終コンテンツであれば、コンテンツ内容の解析を終了する。このように、コンテンツ解析手段３では、コンテンツ格納手段２に格納されているすべてのコンテンツに関してコンテンツごとに平均明度の最大値、最小値を求め、各コンテンツの明度の最大値、最小値をコンテンツ選択手段４に送る。
【００５５】
なお、上記の明度の算出方法は、一例であり、明度が算出できる方法であれば、どのような方法であってもよい。例えば、アンシャープフィルタあるいはノイズ除去フィルタを画像にかけた後に明度を算出することにより、ノイズの影響を排除するなどしてもよい。また、明度の最大値、最小値だけではなく、明度の変化度合いなどを求めるようにしてもよい。これらの明度に関する特徴量は、１つの特徴量だけではなく、複数個を求め、これらをコンテンツ選択手段４に送るようにしてもよい。コンテンツ選択手段４に明度に関する複数個の特徴量が送られてきた場合、コンテンツ選択手段４では、各特徴量に重みをつけ平均した値を使用することができる。
【００５６】
ここで、図２のステップＳ２、及び図４のステップＳ２１からステップＳ２５は、半導体メモリにコンテンツ解析手段３を構成するソフトウェアとして実装されるものである。
【００５７】
また、コンテンツ選択手段４は、コンテンツ解析手段３から情報を受け取り、明度の最大値、最小値の差が一定値以下となるコンテンツを選択する。
【００５８】
以上のように、本実施の形態に係る画像表示装置では、コンテンツに含まれる各フレームの画像の明度を解析することにより、体調悪化状態にある、あるいは体調悪化状態になりそうな利用者に、明暗差の小さいコンテンツを選択して提供することができる。したがって、乗車中に、特に画面の明暗差や明度変化が激しい画像を見ることによる利用者の体調悪化を軽減することができるようになる。またその場合でも、再生される画像の質は、低下しないか、ほとんど低下しないようにすることが可能となる。
【００５９】
なお、本実施の態様の画像表示装置にあっては、上記明度によるコンテンツの内容の解析に加え、第１の実施の形態に係る画像表示装置の場合のように動きベクトルをも併せて解析し、明度と動きベクトルとをコンテンツの選択に用いるようにすることもできる。その場合のコンテンツ選択の方法としては、動きベクトル解析によって得られたパラメータと明度解析によって得られたパラメータとを重み付けして平均値を得るなどの方法が考えられる。
【００６０】
また、本実施の形態の画像表示装置では、明度を乗り物酔いしにくいコンテンツの指標として用いたため、コンテンツの明度を解析したが、他に彩度、シャープネスなどといった画像の特徴を現すパラメータを明度の代わりに用い、あるいは明度に加えて用いることもできる。
【００６１】
次に、本発明の第３の実施の形態に係る画像表示装置を図を用いて説明する。
【００６２】
図５は、本実施の形態に係る画像表示装置１１は、利用者が自身の体調悪化状態を申告する体調悪化状態申告手段６が追加された以外は、図１の画像表示装置１の構成と同じである。体調悪化状態申告手段６は、例えば、入力ボタンで構成され、利用者がこの入力ボタンを押すことにより、コンテンツ選択手段４で利用者が乗り物酔い状態にあるか、または乗り物酔いになりそうな状態にあることを把握するようにしてある。
【００６３】
次に、本実施の形態に係る画像表示装置１１の動作を説明する。
【００６４】
車両が発進直後、利用者が乗り物酔い状態ではないとする。この場合、利用者は、体調悪化状態申告手段６により体調悪化状態にある旨の申告を行わないので、コンテンツ選択手段４は、利用者が乗り物酔いではないと判断し、コンテンツ解析手段３にコンテンツ内容の解析を依頼せず、コンテンツ格納手段２に格納されているすべてのコンテンツのリストを作成し、コンテンツ再生手段５にリストの表示を依頼する。コンテンツ再生手段５は、コンテンツ選択手段４の依頼を受けて、コンテンツ格納手段２に格納されているコンテンツすべてのリストを表示する。利用者は、表示されたリスト中より希望のコンテンツを選択し、コンテンツの視聴を行うことができる。
【００６５】
車両が発進した後、利用者が乗り物酔いになったとする。この場合、利用者が入力ボタンを操作して体調悪化状態にある旨を入力すると、体調悪化状態申告手段６はコンテンツ選択手段４に利用者が乗り物酔い状態にあることを通知する。コンテンツ選択手段４は、本発明の第１の実施の形態に係る画像表示装置１の場合と同様に、コンテンツ解析手段３にコンテンツ解析を依頼し、コンテンツ解析手段３でコンテンツ内容の解析を行い、コンテンツ選択手段４で体調悪化状態になりにくいコンテンツを選択しそのリストをコンテンツ再生手段５に表示して利用者に選択させる。これにより、コンテンツ再生手段５で体調悪化になりにくい画像のコンテンツを再生することができるようになる。
【００６６】
なお、入力ボタンは、１個を操作することにより乗り物酔いであるか否かを識別するようにしてもよいし、あるいは複数個の入力ボタンを用いて、乗り物酔いの程度などさらに詳細な体調情報を入力できるように構成にしてもよい。この場合、コンテンツ選択手段４は、乗り物酔いの程度に応じて、選択するコンテンツを変化させるような仕組みにするとよい。例えば、乗り物酔いの程度に応じて、コンテンツ選択時のパラメータの閾値を変化させる方法がある。
【００６７】
本実施の形態に係る画像表示装置１１では、体調悪化状態申告手段６により、利用者自身が乗り物酔いであるかどうか申告することが可能となり、確実かつ容易に利用者の体調悪化状態を把握することができるとともに、利用者の体調悪化状態に応じた適切なコンテンツを提供することができる。
【００６８】
次に、本発明の第４の実施の形態に係る画像表示装置につき、図を用いて説明する。
【００６９】
図６に示すように、本実施の形態に係る画像表示装置２０は、利用者の体調悪化状態を推定する体調悪化状態推定手段７を追加した以外は、図１の画像表示装置１の構成と同じである。体調悪化状態推定手段７は、心拍、呼吸、体温、発汗、脳波などのうち少なくとも1つ以上を検出する検出センサと、検出センサからの信号を処理するＣＰＵあるいはＤＳＰにより処理されるプログラム、又はＰＧＡなどのハードウエア回路により構成する。
【００７０】
なお、乗り物酔いを検出するセンサとしては、上記検出センサに代えて、あるいは、上記検出センサに加えて、ＣＣＤ（Ｃａｒｇｅ−Ｃｏｕｐｌｅｄ  Ｄｅｖｉｃｅ）カメラ、視線検出センサ、赤外線センサ、磁気センサなどを用い、利用者の表情、視点、頭、手足、体の動きなどを読み取るようにしてもよい。
【００７１】
本実施の形態に係る画像表示装置２０の動作を説明する。
【００７２】
車両が発進直後、利用者が乗り物酔い状態ではないとする。この場合、体調悪化状態推定手段７は、上記各種センサを用い、利用者が乗り物酔いではないことを検出し、コンテンツ選択手段４に通知する。コンテンツ選択手段４は、体調悪化状態推定手段７からの通知を受けて、コンテンツ格納手段２に格納されているすべてのコンテンツのリストを作成する。コンテンツ再生手段５は、コンテンツ選択手段４の依頼を受けて、コンテンツ格納手段２に格納されているコンテンツすべてのリストを表示する。利用者は、表示されたリスト中より希望のコンテンツを選択し、コンテンツの視聴を行うことができる。
【００７３】
車両が発進した後、利用者が乗り物酔い状態になったとする。この場合、体調悪化状態推定手段７は、上記各種センサからの検出信号に基づき、利用者が乗り物酔いであることを推定し、コンテンツ選択手段４に通知する。コンテンツ選択手段４は、体調悪化状態推定手段７からの通知を受けて、コンテンツ解析手段３にコンテンツの解析を依頼する。コンテンツ解析手段３ではコンテンツ内容の解析を行い、コンテンツ選択手段４で体調悪化状態になりにくいコンテンツを選択しそのリストをコンテンツ再生手段５に表示して利用者に選択させる。これにより、コンテンツ再生手段５で体調悪化になりにくい画像のコンテンツを再生することができるようになる。
【００７４】
なお、体調悪化状態推定手段７が、利用者が乗り物酔いであるか否かの検出を行うが、これだけでなく乗り物酔いの程度まで検出するようにするようにして、乗り物酔いの程度に応じて選択するコンテンツを変化させ、例えば、乗り物酔いの程度に応じてコンテンツ選択時のパラメータの閾値を変化させるようにしてもよい。
【００７５】
本実施の形態に係る画像表示装置２０では、体調悪化状態推定手段７により、利用者自身が乗り物酔いであるか否か申告を行わずとも、利用者の体調悪化状態を推定することができ、体調悪化状態であると推定された場合には体調悪化状態になりにくい適切なコンテンツを提供することができる。
【００７６】
次に、本発明の第５の実施の形態に係る画像表示装置につき、図を用いて説明する。
【００７７】
図７に示すように、本実施の形態に係る画像表示装置３０は、利用者のそれまでの体調悪化状態の履歴を格納する体調悪化履歴格納手段８と、コンテンツ再生手段５周辺の環境条件を検出する環境条件検出手段９とを追加した以外は、図６に記載した第４の実施の形態に係る画像表示装置２０の構成と同じである。
【００７８】
体調悪化履歴格納手段８は、ハードディスク、メモリ、書き込み可能光ディスクなどの記憶媒体で構成されるが、物理的には、コンテンツ格納手段２と共用することもできる。
【００７９】
環境条件検出手段９は、車両の走行道路状態、走行時刻、発進後の経過時間、車両あるいは利用者に作用する加速度などといった環境条件を検出するもので、例えば走行道路状態は、ＣＣＤカメラや光センサを用いて路面が乾いているかぬれているなどの状態を検出したり、ナビゲーションシステムからの情報を利用して、道路がまっすぐか山道などの曲がりくねった道路かなどを検出したり、走行時刻は時計で、また発進後の経過時間はタイマーでそれぞれ計時し、加速度は、加速度センサで検出するなどする。
【００８０】
なお、体調悪化状態推定手段７あるいは、コンテンツ選択手段４の指示により、利用者の過去の乗り物酔い状態とその時の環境条件検出手段９により検出された上記環境条件とを対応付けて体調悪化履歴格納手段８に格納するように構成している。
【００８１】
本実施の形態に係る画像表示装置３０の動作について説明する。
【００８２】
車両の走行中、コンテンツ選択手段４は、逐次、例えば、一定時間ごとに、利用者の乗り物酔いの状態を体調悪化状態推定手段７に、また車両の走行道路状態、走行時刻、発進後の経過時間、車両あるいは利用者にかかる加速度などといった環境条件を環境条件検出手段９に、それぞれ検出するように依頼する。体調悪化状態推定手段７では、第４の実施の形態に係る画像表示装置２０の場合と同様の処理を行い、利用者の乗り物酔いを検出し、コンテンツ選択手段４に通知する。
【００８３】
一方、環境条件検出手段９は、コンテンツ選択手段４の依頼を受けて、例えばタイマーにて発進後の経過時間を算出するとともに、加速度センサを用いて車両にかかる加速度を検出して、これらの情報をコンテンツ選択手段４に通知する。
【００８４】
コンテンツ選択手段４は、体調悪化状態推定手段７と環境条件検出手段９とからの情報に基づいて利用者の乗り物酔い状態と、車両発進時からの経過時間と、車両にかかる加速度とを対応付けた組にして体調悪化履歴格納手段８に格納する。また、コンテンツ選択手段４は、体調悪化状態推定手段７により利用者が乗り物酔い状態であると推定した場合には、第４の実施の形態に係る画像表示装置２０の場合と同様の処理を行い、コンテンツの選択処理を行う。
【００８５】
これに対し、乗り物酔い状態でないと推定した場合には、過去に蓄積された体調悪化履歴を参照し今回走行中の環境条件と比較して、これから乗り物酔いになりそうか否かを予測し、乗り物酔いになりそうであれば、第４の実施の形態に係る画像表示装置２０の場合と同様に乗り物酔いになりにくいコンテンツを選択する。
【００８６】
なお、乗り物酔いになりそうか否かの予測の方法としては、例えば、過去にどういった経過時間、どういった加速度をどれだけ受けたときに乗り物酔いになったかのパターンを分析し、今回の乗車における経過時間、受けた加速度のパターンと比較する方法が考えられる。ただし、予測の方法は、上記に限らず、過去の乗り物酔い履歴から将来の乗り物酔い状態を予測できるものであれば、どんな方法を用いてもよい。
【００８７】
また、環境条件としては、上記のものに限らず、車両の走行状態に関する条件、あるいは車両が走行している環境の状態に関する条件であって利用可能なものであれば他の条件を使用するようにしてもよい。
【００８８】
次に、本発明の第６の実施の形態に係る画像表示装置につき、図を用いて説明する。
【００８９】
図８に示すように、本実施の形態に係る画像表示装置４０は、これから移動体が進行する移動体前方の状況を検出する移動体前方状況検出手段として、車両が走行する時の車両前方状況検出手段１０が追加される以外は、図１に記載された第１の実施の形態に係る画像表示装置１の構成と同じである。
【００９０】
車両前方状況検出手段１０は、車両前方の景色を撮影するＣＣＤカメラ（撮像部）と、ＣＣＤカメラからの映像信号を処理し、車両前方の状況を抽出するＣＰＵあるいはＤＳＰで実行されるプログラムやＰＧＡなどのハードウエア回路で構成される。あるいは、車両前方検出手段１０は、外部又は車載のナビゲーションシステムから、地図情報、車両現在位置、進行方向、経路などを取得し、車両がこれから進行するであろう道路の状況を抽出する構成にしてもよい。この場合も上記と同様にプログラム又はハードウエア回路で構成される。
【００９１】
本実施の形態に係る画像表示装置４０の動作を説明する。
【００９２】
走行中、コンテンツ選択手段４は、車両前方状況検出手段１０に車両前方の状況を検出するように依頼する。車両前方状況検出手段１０は、コンテンツ選択手段４からの依頼を受けて、ＣＣＤカメラで車両前方の景色を撮影する。車両前方状況検出手段１０は、例えば、ＣＣＤカメラで撮像された画像から白線検知を行い、道路のカーブの曲率半径や前方のカーブの個数を算出し、例えば、曲率半径が１０ｍであれば「１０」、５０ｍであれば「５」、１００ｍであれば「１」といったように符号化し、カーブの個数と加算したものを道路カーブ指数として算出し、コンテンツ選択手段４に通知する。
【００９３】
コンテンツ選択手段４は、車両前方状況検出手段１０からの通知を受けて、道路カーブ指数が一定の閾値以上であれば、これから乗り物酔いになる可能性が高いと判断し、第１の実施の形態に係る画像表示装置１の場合と同様の処理で乗り物酔いになりにくいコンテンツを選択する。
【００９４】
なお、ここでは、道路カーブ指数を上記のように算出したが、カーブが急になるほど、またカーブが連続するほど、大きくなるような数値であれば、どのような算出方法を用いてもよい。また、道路カーブ指数でなくとも、道路面の荒れ具合、舗装状態、道路幅員、車線数など道路状況から検出可能で、乗り物酔いのなりやすさと関連するものであれば、何を用いてもよいし、上記のうち、複数の指標を組み合わせて用いることも可能である。
【００９５】
また、車両前方状況検出時に、車両前方状況検出手段１０は、ＣＣＤカメラではなく、ナビゲーションシステムの地図データと車両位置、向きの情報を取得し、道路のカーブの曲率半径、前方のカーブの個数を算出し、上記ＣＣＤカメラの場合と同様に道路カーブ指数を算出することも可能である。この場合においても、道路カーブ指数だけでなく、他の指標を代わりに、あるいは他の指標と組み合わせて用いることも可能である。
【００９６】
本実施の形態に係る画像表示装置４０では、車両前方状況検出手段１０により、車両がこれから進行する道路の状況を把握し、利用者が乗り物酔いになりそうか否か予測することで、利用者が実際に乗り物酔いになる前に効果的に乗り物酔いしにくいコンテンツを提供することができる。
【００９７】
なお、コンテンツは画像の場合について説明したが、もちろん音楽のみのコンテンツであっても良い。この場合、音程の上下や音量の変化などをパラメータとして指標にすれば良い。
【産業上の利用可能性】
【００９８】
以上のように、本発明に係る画像表示装置は、コンテンツの内容を解析することで、乗り物酔いなどといった体調悪化状態になりにくいコンテンツを利用者に提供することができ、コンテンツ視聴時において、利用者の体調悪化を軽減したり又は予防したりすることができるという効果を有し、車両、航空機、船舶、鉄道などの移動体に搭載される場合など、コンテンツを選択し表示する画像表示装置等として有用である。
【図面の簡単な説明】
【００９９】
【図１】本発明の第１の実施の形態に係る画像表示装置の構成を示す図
【図２】図１の画像表示装置でコンテンツを表示する際、実行されるメインのフローチャート
【図３】図２のフローチャートが実行される際、コンテンツ解析を行うためのフローチャート
【図４】本発明の第２の実施の形態に係るコンテンツ解析を行うためのフローチャート
【図５】本発明の第３の実施の形態に係る画像表示装置の構成を示す図
【図６】本発明の第４の実施の形態に係る画像表示装置の構成を示す図
【図７】本発明の第５の実施の形態に係る画像表示装置の構成を示す図
【図８】本発明の第６の実施の形態に係る画像表示装置の構成を示す図
【符号の説明】
【０１００】
１、１１、２０、３０、４０  画像表示装置
２  コンテンツ格納手段
３  コンテンツ解析手段
４  コンテンツ選択手段
５  コンテンツ再生手段
６  体調悪化状態申告手段
７  体調悪化状態推定手段
８  体調悪化履歴格納手段
９  環境条件検出手段
１０  車両前方状況検出手段（移動体前方状況検出手段）
【図１】
2006040056.tif 000003
【図２】
2006040056.tif 000004
【図３】
2006040056.tif 000005
【図４】
2006040056.tif 000006
【図５】
2006040056.tif 000007
【図６】
2006040056.tif 000008
【図７】
2006040056.tif 000009
【図８】
2006040056.tif 000010